(57)【要約】  【課題】視聴者が容易に参加可能で、移動体に対してより興味深いインタラクティブコンテンツを提供できるインタラクティブサービス提供システムを提供する。  【解決手段】放送局３０は、データ部にターゲットの位置情報とターゲットの確認を報告するためのフォーム有する放送波をデジタル放送する。ターゲット車両２０の位置情報は、ターゲット自身が位置検出して適宜更新する。放送番組内でターゲットの位置や確認方法等を放送することにより、視聴者たる参加者車両１０がターゲットを探す。その際、データ部のターゲットの位置情報に基づいて自分の位置とターゲットの位置とを確認する。ターゲットを確認したら、報告フォームに基づいて通信事業者４０及びインターネット５０を介して放送局３０に対してターゲット車両２０の確認の報告を行う。  【選択図】  図１
2006211606.tif 000002
【特許請求の範囲】
【請求項１】
所望の番組の情報を含む番組部及び所望のデータを含むデータ部を有するデジタル放送波をブロードキャスト送信する放送局システムであって、前記データ部として、所望のターゲットについての少なくとも当該ターゲットの位置に係る情報と当該ターゲットを確認した旨を報告するための報告フォームに係る情報とを含むターゲット情報を有する前記デジタル放送波を前記送信する放送局システムと、
前記放送局システムに前記ターゲット情報を提供するシステムであって、
前記放送局システムに前記ターゲット情報を提供する放送データ提供手段と、
前記デジタル放送を受信した受信者に係る装置から前記報告フォームに従って送信される前記ターゲットを確認した旨の情報を受信する受信手段と、
当該受信した前記ターゲットを確認した旨の情報に基づいて、前記受信者に係る装置側において真に前記ターゲットが確認されたか否かを判定する判定手段と、
前記判定結果に基づいて所望の処理を行う処理手段と
を有するサービスプロバイダシステムと
を有するインタラクティブサービス提供システム。
【請求項２】
前記ターゲットの位置を検出する位置検出手段と、前記検出した前記ターゲットの位置に係る情報を送信する送信手段とを有するターゲット側位置検出システムをさらに有し、
前記サービスプロバイダシステムは、前記ターゲット側位置検出システムから送信される前記ターゲットの位置に係る情報を受信する受信手段をさらに有し、
前記サービスプロバイダシステムの前記放送データ提供手段は、前記受信した前記ターゲットの位置に係る情報に基づいて、前記ターゲット情報を生成し、当該生成したターゲット情報を前記放送局システムに提供する
ことを特徴とする請求項１に記載のインタラクティブサービス提供システム。
【請求項３】
前記ターゲットの周辺領域で前記受信者に係る装置と通信を行うターゲット側通信システムをさらに有し、
前記サービスプロバイダシステムの前記受信手段は、前記受信者に係る装置又は前記ターゲット側通信システムから送信される前記受信者に係る装置と前記ターゲット側通信システムとの前記通信の結果に係る情報を受信し、
前記サービスプロバイダシステムの前記判定手段は、前記受信した前記通信の結果に係る情報に基づいて、前記受信者に係る装置側において真に前記ターゲットが確認されたか否かを判定する
ことを特徴とする請求項１又は２に記載のインタラクティブサービス提供システム。
【請求項４】
前記放送局システムは、前記ターゲット側通信システムとの前記通信に必要な情報を前記ターゲット情報としてさらに含む前記デジタル放送波をブロードキャスト送信することを特徴とする請求項３に記載のインタラクティブサービス提供システム。
【請求項５】
前記ターゲット通信システムは、前記通信を行った前記受信者に係る装置側において真に当該ターゲットを確認したか否かを判定する判定手段をさらに有することを特徴とする請求項３又は４に記載のインタラクティブサービス提供システム。
【請求項６】
前記サービスプロバイダシステムの前記手段の一部又は全部が、前記放送局システムと一体的に構成されていることを特徴とする請求項１〜５のいずれかに記載のインタラクティブサービス提供システム。
【請求項７】
デジタル放送を受信する受信装置であって、
放送されるデジタル放送波であって、番組の情報を含む番組部と、所望のターゲットについての少なくとも当該ターゲットの位置に係る情報と当該ターゲットを確認した旨を報告するための報告フォームに係る情報とを含むターゲット情報を有するデータ部とを有するデジタル放送波を受信する受信手段と、
前記受信した前記デジタル放送波に含まれる前記番組の情報及び前記ターゲットの位置の情報を提示する提示手段と、
前記ターゲットを確認した旨を、前記デジタル放送波に含まれる前記報告フォームに従って入力する入力手段と、
前記入力された前記ターゲットを確認した旨の情報を送信する送信手段と
を有するデジタル放送受信装置。
【請求項８】
前記ターゲットの周辺領域で当該ターゲットに係る通信装置と通信を行う通信手段をさらに有することを特徴とする請求項７に記載のデジタル放送受信装置。
【請求項９】
前記ターゲットに係る通信装置との通信の結果に基づいて、当該通信装置に係るターゲットが真に所望のターゲットか否かを判定する判定手段をさらに有し、
前記送信手段は、前記判定結果を含む情報を送信する
ことを特徴とする請求項８に記載のデジタル放送受信装置。
【請求項１０】
前記提示手段は、前記放送波に含まれる前記ターゲットの位置の情報に基づいて、当該デジタル放送受信装置に対する前記ターゲットの相対的な位置を提示することを特徴とする請求項７〜９のいずれかに記載のデジタル放送受信装置。
【請求項１１】
前記提示手段は、当該デジタル放送受信装置の位置と、前記放送波に含まれる前記ターゲットの位置の情報とを地図上に重畳して表示することを特徴とする請求項７〜１０のいずれかに記載のデジタル放送受信装置。
【請求項１２】
前記提示手段は、前記ターゲットが当該デジタル放送受信装置から所定の距離範囲内に存在する状態となった場合に、前記提示手段は前記報告フォームを提示し、
前記入力手段は、前記状態となった場合に、前記ターゲットを確認した旨を入力可能な状態となる
ことを特徴とする請求項７〜１１のいずれかに記載のデジタル放送受信装置。
【請求項１３】
デジタル放送を利用したインタラクティブサービスの提供方法であって、
所望の番組の情報を含む番組部と、所望のターゲットについての少なくとも当該ターゲットの位置に係る情報と当該ターゲットを確認した旨を報告するための報告フォームに係る情報とを含むターゲット情報を有するデータ部とを有するデジタル放送波をブロードキャスト送信し、
前記デジタル放送を受信した受信者側から前記報告フォームに従って送信される前記ターゲットを確認した旨の情報を受信し、
前記受信した前記ターゲットを確認した旨の情報に基づいて、前記受信側において真に前記ターゲットが確認されたか否かを判定し、
前記判定結果に基づいて所望の処理を行う
ことを特徴とするインタラクティブサービスの提供方法。
【請求項１４】
前記ターゲットにおいて当該ターゲットの位置を検出し、
前記検出した前記ターゲットの位置に係る情報を前記ターゲットからサービスプロバイダ側に伝送し、
前記サービスプロバイダ側において、前記伝送された前記ターゲットの位置に係る情報に基づいて、前記ターゲット情報を生成し、
前記生成したターゲット情報を有する前記デジタル放送波を前記ブロードキャスト送信する
ことを特徴とする請求項１３に記載のインタラクティブサービスの提供方法。
【請求項１５】
前記ターゲットと前記受信者側との間で通信を行い、
前記通信の結果に基づいて、前記受信者側において真に前記ターゲットが確認されたか否かを判定する
ことを特徴とする請求項１３又は１４に記載のインタラクティブサービスの提供方法。
【請求項１６】
前記ブロードキャスト送信される前期デジタル放送波に含まれる前記ターゲットを確認した旨を報告するための前記報告フォームは、前記ターゲットの特徴を示す複数の選択肢を備え、
前記受信者側から送信される前記選択肢からの選択を含む前記報告フォームへの入力の結果を受信し、
当該受信した前記報告フォームへの入力結果に基づいて、前記受信側において真に前記ターゲットが確認されたか否かを判定する
ことを特徴とする請求項１３〜１５のいずれかに記載のインタラクティブサービスの提供方法。
【発明の詳細な説明】
【技術分野】
【０００１】
本発明は、デジタル放送を介してインタラクティブコンテンツを提供するインタラクティブサービス提供システム及びインタラクティブサービスの提供方法、及び、そのようなサービスを享受するためのデジタル放送受信装置に関する。
【背景技術】
【０００２】
地上波デジタルテレビの放送が開始され、また、数年のうちに地上波デジタルラジオの放送が開始される予定となっている。このようなデジタル放送における特徴の一つとして、情報の双方向性を活用したインタラクティブコンテンツの提供が可能となる点が挙げられ、そのようなサービスを提供するためのシステムがいくつか提案されている。例えば、コマーシャルを視聴した後でなければインタラクティブなサービスを享受できないようにするシステム（例えば、特許文献１参照）や、コンテンツを迅速に記録するようにしたシステム（例えば、特許文献２参照）が開示されている。
【特許文献１】特開２００１−２８５８３０号公報
【特許文献２】特開２００３−２１８８１６号公報
【発明の開示】
【発明が解決しようとする課題】
【０００３】
ところで、今後のデジタル放送の普及を前に、このようなインタラクティブサービスを広く普及させるためには、より簡単に利用できるインタラクティブサービスの提供システムが望まれている。また、ラジオ放送やテレビジョン放送等の放送番組に視聴者を参加させることを目的としたインタラクティブサービスをより容易に実現するためのシステムが望まれている。
また、これまで提案又は開示され、あるいは徐々に始まりつつあるインタラクティブコンテンツは、固定した場所での視聴を基本としており、自動車等の車両や歩行者等の移動体を対象とした、あるいは、このような移動体を含むモバイル環境下でのインタラクティブなサービスシステムの適用事例は未だ無い。
【０００４】
本発明はこのような課題に鑑みてなされたものであって、その目的は、デジタル放送の視聴者を容易に参加させることが可能であり、特に、移動体に適用した場合により興味深いインタラクティブコンテンツを提供できるインタラクティブサービス提供システムとその方法を提供することにある。
また、本発明の他の目的は、デジタル放送を介したインタラクティブコンテンツの提供サービスに容易に参加することが可能で、特に、移動体に搭載してサービスを享受するのに好適なデジタル放送受信装置を提供することにある。
【課題を解決するための手段】
【０００５】
前記課題を解決するために、本発明に係るインタラクティブサービス提供システムは、所望の番組の情報を含む番組部と、所望のターゲットについての少なくとも当該ターゲットの位置に係る情報と当該ターゲットを確認した旨を報告するための報告フォームに係る情報とを含むターゲット情報を有するデータ部とを有するデジタル放送波をブロードキャスト送信する放送局システムと、前記放送局システムに前記ターゲット情報を提供するシステムであって、前記放送局システムに前記ターゲット情報を提供する放送データ提供手段と、前記デジタル放送を受信した受信者に係る装置から前記報告フォームに従って送信される前記ターゲットを確認した旨の情報を受信する受信手段と、当該受信した前記ターゲットを確認した旨の情報に基づいて、前記受信者に係る装置側において真に前記ターゲットが確認されたか否かを判定する判定手段と、前記判定結果に基づいて所望の処理を行う処理手段とを有するサービスプロバイダシステムとを有する。
【０００６】
このような構成のインタラクティブサービス提供システムによれば、例えばキャラクター、人、車両等の探索対象のモノ（ターゲット）の位置に係る情報を放送により視聴者に提供するとともに、そのターゲットを確認した場合の報告フォームをも放送により配信する。サービスに参加する者は、この放送を受信し、ターゲットの位置や特徴等の情報を獲得し、これに従ってターゲットを探索する。そして、ターゲットを確認した時には、放送により提供されたターゲットの確認を報告するためのフォームを利用して、その確認を報告する。このようなサービス環境を提供することで、ターゲットを探して確認するという興味が高まり易く娯楽性の高いサービスを容易に提供できる。
【０００７】
また、本発明に係るデジタル放送受信装置は、放送されるデジタル放送波であって、番組の情報を含む番組部と、所望のターゲットについての少なくとも当該ターゲットの位置に係る情報と当該ターゲットを確認した旨を報告するための報告フォームに係る情報とを含むターゲット情報を有するデータ部とを有するデジタル放送波を受信する受信手段と、前記受信した前記デジタル放送波に含まれる前記番組の情報及び前記ターゲットの位置の情報を提示する提示手段と、前記ターゲットを確認した旨を、前記デジタル放送波に含まれる前記報告フォームに従って入力する入力手段と、前記入力された前記ターゲットを確認した旨の情報を送信する送信手段とを有する。
【０００８】
また、本発明に係るインタラクティブサービスの提供方法によれば、デジタル放送を利用したインタラクティブサービスの提供方法であって、所望の番組の情報を含む番組部と、所望のターゲットについての少なくとも当該ターゲットの位置に係る情報と当該ターゲットを確認した旨を報告するための報告フォームに係る情報とを含むターゲット情報を有するデータ部とを有するデジタル放送波をブロードキャスト送信し、前記デジタル放送を受信した受信者側から前記報告フォームに従って送信される前記ターゲットを確認した旨の情報を受信し、前記受信した前記ターゲットを確認した旨の情報に基づいて、前記受信側において真に前記ターゲットが確認されたか否かを判定し、前記判定結果に基づいて所望の処理を行う。
【発明の効果】
【０００９】
本発明によれば、デジタル放送の視聴者を容易に参加させることが可能であり、特に、移動体を対象として適用した場合により興味深いインタラクティブコンテンツを提供できるインタラクティブサービス提供システムとその方法を提供することができる。
また、デジタル放送を介したインタラクティブコンテンツの提供サービスに容易に参加することが可能で、特に、移動体に搭載してサービスを享受するのに好適なデジタル放送受信装置を提供することができる。
【発明を実施するための最良の形態】
【００１０】
第１の実施形態
本発明の第１の実施形態のインタラクティブ放送システムについて、図１〜図７を参照して説明する。
本実施形態のインタラクティブ放送システムは、デジタル放送（デジタルテレビジョン放送又はデジタルラジオ放送）のデータ放送部を利用してインタラクティブコンテンツを提供するサービスを実施するシステムである。具体的には、例えばアプリケーションサービスプロバイダ（サービスプロバイダ）がデジタル放送のデータ放送部を利用して所望のターゲットの位置情報を放送（ブロードキャスト送信）し、デジタル放送の視聴者たる参加者がその情報を頼りにターゲットを探す。参加者がターゲットを確認した場合は、例えば自らの位置情報とともにサービスプロバイダに「ターゲットを見つけた」旨の情報を送信し、サービスプロバイダ側では、例えばターゲットの位置情報と参加者の位置情報とを照合して真に参加者がターゲットを確認したか否かを判定する。このような処理を行うことにより、「鬼ごっこ」、「かくれんぼ」、「Treasure Hunting」、「Fox Hunting」のようなインタラクティブコンテンツを提供する。
【００１１】
まず、そのインタラクティブ放送システムの構成について説明する。
図１は、本実施形態のインタラクティブ放送システム１の基本構成を示す図である。
図１に示すように、インタラクティブ放送システム１は、参加者車両１０、ターゲット車両２０、放送局３０、通信事業者４０及びインターネット５０を有する。
【００１２】
参加者車両１０は、インタラクティブ放送システム１におけるデジタル放送の視聴者であり、インタラクティブ放送システム１が提供するインタラクティブコンテンツ提供サービスの参加者である。また、本実施形態においては、参加者車両１０は、車両等の移動体である。図１には１台の参加者車両１０のみを示すが、放送局３０からのデジタル放送を受信可能であり、後述する参加者端末１００を有する車両は、全ての車両が参加者車両１０となり得る。換言すれば、インタラクティブ放送システム１の提供するインタラクティブコンテンツの提供サービスには、通常、デジタル放送を受信した多数の車両が参加者車両１０として参加する。
【００１３】
参加者車両１０には、放送局３０からのデジタル放送を受信するとともにサービスプロバイダ（本実施形態においては放送局３０）と通信を行うための参加者端末１００が搭載される。
参加者端末１００の構成を図２に示す。
図２に示すように、参加者端末１００は、放送局３０からのデジタル放送を受信する放送受信部１１０とそのアンテナ１１１、携帯電話等の広域通信部１２０とそのアンテナ１２１、ＧＰＳ等で構成される位置情報取得部１４０とそのアンテナ１４１、通信制御部１５０、ＣＰＵ１８０、記憶部１９０、及びインタフェース部１６０を有する。インタフェース部１６０は、液晶ディスプレイ等の表示部１６１、音声出力部１６２、及び、スイッチやタッチパネルあるいは音声入力等の操作入力部１６３を有する。
【００１４】
ターゲット車両２０（図１参照）は、参加者の探索の目標物としての移動体である。具体的には、例えばデジタル放送の番組や番組スポンサー等と関係したキャラクター、人、モノ等である。本実施形態のインタラクティブ放送システム１は、１台のターゲット車両２０を有する者とするが、ターゲット車両２０は複数あってもよい。
【００１５】
ターゲット車両２０に、サービスプロバイダと通信を行うためのターゲット端末２００が搭載される。
ターゲット端末２００の構成を図３に示す。
図３に示すように、ターゲット端末２００は、携帯電話等の広域通信手段２２０とそのアンテナ２２１、ＧＰＳ等で構成される位置情報取得手段２４０とそのアンテナ２４１、通信制御手段２５０、ＣＰＵ２８０、記憶手段２９０及びインタフェース部２６０を有する。インタフェース部２６０は、表示部２６１、音声出力部２６２及び操作入力部２６３を有する。
【００１６】
放送局３０（図１参照）は、デジタル放送の放送事業者であるとともに、デジタル放送を介してインタラクティブコンテンツを提供するサービスを実施するサービス主体たるアプリケーションサービスプロバイダである。放送局３０は、番組部とデータ部とを有するデジタル放送波を放送アンテナ３１０を介して、参加者車両１０の参加者端末１００において受信可能に送出する。番組部は、所望の番組の番組内容を含む。また、データ部は、所望のターゲットの位置を示す情報、及びそのターゲットを視聴者が確認した場合の報告フォームの情報を含む。
【００１７】
なお、本実施形態においては、放送局３０は、インタラクティブコンテンツのサービス主体であるサービスプロバイダと、サービスプロバイダからの指示に従って依頼されるデータの実際の放送のみを行う放送局とを兼ねる構成であるが、これらは分割した構成であってもよい。その場合は、インターネット５０を介して、サービスプロバイダシステムと放送局システムとで通信を行うようにすればよい。
【００１８】
通信事業者４０は、参加者車両１０及びターゲット車両２０から送信される情報を受信し、インターネット５０を介して放送局３０に送信する。なお、この通信事業者４０は、放送局３０又は場合によって放送局３０とは別に構成されるサービスプロバイダが兼務する構成であってもよい。
【００１９】
インターネット５０は、放送局３０と通信事業者４０との通信を行うための通信ネットワークである。なお、この通信ネットワークは、インターネットに限られず、イントラネットのような比較的狭い範囲内のＬＡＮであってもよいし、各構成部を相互に接続する専用の通信回線で構成してもよい。
【００２０】
次に、このようなインタラクティブ放送システム１の動作について、図４〜図７を参照して説明する。
ここでは、インタラクティブ放送システム１を構成する各構成部の動作を順次個別に説明することにより、インタラクティブ放送システム１全体の動作を示す。
まず、参加者端末１００の動作について図４を参照して説明する。
なお、特に図示していないが、参加者端末１００は、ＧＰＳ等の位置情報取得部１４０により所定時間間隔（例えば１秒毎）で参加者端末１００（参加者車両１０）の位置情報（緯度経度）を取得しているものとする。
【００２１】
参加者端末１００においては、放送局３０から放送された放送データを受信すると、そのデータを記憶部１９０に記憶し、サービスへ参加をするか否かの入力を促す表示を、インタフェース部１６０を介して参加者車両１０のユーザに提示する（ステップＳ１１０）。なお、記憶部１９０に記憶されたこのデータの中に「鬼ごっこ」「かくれんぼ」「Treasure Hunting」「Fox Hunting」のようなインタラクティブアプリケーションの参加者側のプログラム等が含まれている。
これに基づいて、参加者がインタラクティブアプリケーションへ参加する旨を示す入力を行ったら（ステップＳ１１１におけるＹｅｓの場合）、受信データによりアプリケーションを起動する（ステップＳ１１２）。
【００２２】
アプリケーションが移動されたら、参加者端末１００は、放送局３０から放送されるターゲット車両２０の位置情報とそれに付随する時刻情報等のターゲット情報を取得し（ステップＳ１１３）、インタフェース部１６０を介して参加者に提示する（ステップＳ１１４）。ターゲット情報の提示の方法は、（１）参加者端末１００の位置（緯度経度）情報（参加者車両１０の位置情報。以下同じ）とターゲット端末２００の位置（緯度経度）情報（ターゲット車両２０の位置情報。以下同じ）とを併記して提示する方法、（２）参加者端末１００とターゲット端末２００との相対位置を距離と方向（方角）で表示する方法、あるいは（３）参加者端末１００とターゲット端末２００の位置を電子地図上に表示する方法等が採られる。
【００２３】
そして、ターゲット端末２００が参加者端末１００から所定範囲内（例えば３０ｍ以内）となったら（ステップＳ１１５におけるＹｅｓの場合は）、参加者車両１０がターゲット車両２０に接近している旨の情報を提示し（ステップＳ１１６）、インタフェース部１６０にて情報送信フォームを起動して提示し（ステップＳ１１７）、ターゲットを確認したことを示す参加者の入力を待つ（ステップＳ１１８）。参加者からの入力が無い間は、適宜、ターゲット端末２００が参加者端末１００から所定範囲内であることを確認しながら（ステップＳ１２０）、参加者の入力を待つ（ステップＳ１１８）。
【００２４】
ターゲット端末２００が参加者端末１００から所定範囲内に無いとき（ステップＳ１１５におけるＮｏの場合）は、ステップＳ１１３に戻ってステップＳ１１３〜ステップＳ１１５の処理を繰り返す。すなわち、参加者端末１００は、放送局３０から放送されるターゲット車両２０の位置情報とそれに付随するターゲット情報を取得し（ステップＳ１１３）、インタフェース部１６０を介して参加者に提示し（ステップＳ１１４）、ターゲット端末２００が参加者端末１００から所定範囲内となったか否かをチェックする（ステップＳ１１５）。
【００２５】
ターゲットを確認した旨の入力が参加者から無いまま（ステップＳ１１８におけるＮｏの場合）、ターゲット端末２００が参加者端末１００から所定範囲外に出てしまった場合（ステップＳ１２０におけるＮｏの場合）は、ステップＳ１１３に戻ってステップＳ１１３〜ステップＳ１１５の処理を繰り返す。すなわち、参加者端末１００は、放送局３０から放送されるターゲット車両２０の位置情報とそれに付随するターゲット情報を取得し（ステップＳ１１３）、インタフェース部１６０を介して参加者に提示し（ステップＳ１１４）、ターゲット端末２００が参加者端末１００から所定範囲内となったか否かをチェックする（ステップＳ１１５）。
【００２６】
そして、参加者がターゲットを確認して確認入力を行うと（ステップＳ１１８におけるＹｅｓの場合）、参加者端末１００は、送信フォームに従って、少なくとも参加者車両１０の位置（緯度経度）情報とそれに付随する時刻情報とを含むターゲット確認情報を、広域通信部１２０から送信する（ステップＳ１１９）。送信されたターゲット確認情報は通信事業者４０、インターネット５０を介して放送局３０に送信される。
なお、送信フォームにて送信される情報には匿名／非匿名の個人を特定する情報が含まれる。例えばこれは記憶部１９０に予め記憶されている仮名（ラジオネーム、ペンネーム）であったり、参加者ＩＤであったり、端末のＩＤであったり、あるいは送信する際にインタフェース部１６０にて入力したものでよい。
【００２７】
次に、ターゲット端末２００の動作について図５を参照して説明する。
図５に示すように、ターゲット端末２００においてアプリケーションが開始されると（ステップＳ２１０におけるＹｅｓの場合）、システムが起動され（ステップＳ２１１）、位置情報取得部２４０によってターゲット端末２００の位置情報と現在時刻が取得される（ステップＳ２１２）。取得された情報は、広域通信部２２０及びそのアンテナ２２１から、通信事業者４０及びインターネット５０を介してサービスプロバイダたる放送局３０に送信される（ステップＳ２１３）。以後、アプリケーションが終了されるまで、所定時間経過毎に（ステップＳ２１４におけるＹｅｓの場合）、ステップＳ２１２の位置情報及び現在時刻の取得、及び、ステップＳ２１３の取得した情報の放送局３０への送信の処理を繰り返す。
【００２８】
次に、放送局３０におけるデジタル放送の動作について図６を参照して説明する。
図６に示すように、放送局３０においてアプリケーションを開始すると（ステップＳ３１０におけるＹｅｓの場合）、システムが起動され（ステップＳ３１１）、ターゲット端末２００から情報を受信したら（ステップＳ３１２におけるＹｅｓの場合）、ターゲット情報を取得し（ステップＳ３１３）、取得したターゲット情報をハードディスク等に記憶し（ステップＳ３１４）、放送におけるデータ放送部分を利用して、ターゲット端末２００の位置情報（緯度経度情報）、これに付随する時刻情報及び参加者端末１００から放送局３０にターゲット確認情報を送信するための送信フォームを放送する（ステップＳ３１５）。以後、ターゲット端末２００からターゲット情報を受信するたびに、ステップＳ３１３〜ステップＳ３１５の処理を繰り返す。
【００２９】
次に、放送局３０において参加者端末１００から情報を取得した場合の動作について図７を参照して説明する。
なお、放送局３０のシステムは、既に図６を参照して前述した処理により起動されているものとする。
図７に示すように、放送局３０においてインターネット５０を介して参加者端末１００から情報を受信したら（ステップＳ３５１におけるＹｅｓの場合）、参加者のターゲット確認情報を取得して参加者がどの時刻にどの位置（緯度経度）でターゲットを確認したかを抽出して、ハードディスク等に記憶してあるターゲットの上記時刻の緯度経度情報とを照合する（ステップＳ３５２）。
【００３０】
両者の位置（緯度経度）情報から、両者が所定距離内（例えば３０ｍ以内）であれば確認ＯＫとし（ステップＳ３５３におけるＹｅｓの場合）、照合結果を参加者端末に送信又は放送し（ステップＳ３５４）、結果を記憶する（ステップＳ３５５）。確認ＮＧの場合（ステップＳ３５５におけるＮｏの場合）には、照合結果を参加者端末に送信する又は放送する（ステップＳ３５６）。確認がＯＫの場合もＮＧの場合も、いずれもステップＳ３５１に戻り、次の参加者からの情報が送信されるのを待機する。
【００３１】
インタラクティブ放送システム１においては、このような構成及び各部の動作により、デジタル放送システムを介した所望のインタラクティブコンテンツの提供が行われる。
すなわち、例えば、デジタル放送の番組部を通して、「○○（場所）あたりに、××（キャラクター、あるいは、特定の特徴の人やモノ）がいます」、「見つけた人は××の持っている物を教えて下さい」、「見つけた人は、見つけた場所を教えて下さい」等の内容の放送を行う。また、そのターゲットの位置情報を、デジタル放送のデータ部にて放送する。
また、そのような放送を行う一方で、ターゲットとしてターゲット端末２００を搭載あるいは保持したキャラクターや車両を、その告知した場所に配置させるか、あるいはその場所の周辺を移動させる。
【００３２】
放送を視聴して興味を持った参加者は、放送された情報及びデータ部で提供される位置情報を頼りにターゲットを探す。そして、ターゲットを探し当てた視聴者が、報告フォームを用いて、サービスプロバイダたる放送局に通知を行う。
放送局は、ターゲットの位置情報と参加者の位置情報とを照合して真に参加者がターゲットを確認したか否かを判定し、ターゲットを真に確認した人（見つけた人）に対して、何らかの商品や景品を与えたり、番組内で紹介したり、あるいは何らかの優先権を与える等のサービスの提供を行う。あるいは、このような仕組みを利用することで、デジタル放送上での「鬼ごっこ」「かくれんぼ」「Treasure Hunting」「Fox Hunting」のようなインタラクティブコンテンツを提供する。
【００３３】
また、インタラクティブ放送システム１においては、放送局から、ターゲットの位置情報とともにターゲット確認情報の送信フォームも送信（放送）されており、参加者はその送信フォームを選択するだけで放送局にターゲット確認情報を送信できる。従って、サービスへの参加がより促進される。
さらに、参加者とターゲットの距離が所定の距離内に入ったら送信フォームをポップアップ表示するようにしており、参加者がより使い易くなっている。
【００３４】
第２の実施形態
本発明の第２の実施形態のインタラクティブ放送システムについて、図８〜図１１を参照して説明する。
第２の実施形態のインタラクティブ放送システムも、第１の実施形態のインタラクティブ放送システム１と同様に、デジタル放送のデータ放送部を利用して「鬼ごっこ」、「かくれんぼ」、「Treasure Hunting」、「Fox Hunting」のようなインタラクティブコンテンツを提供するシステムである。第２の実施形態のインタラクティブ放送システムの第１の実施形態のインタラクティブ放送システム１との相違点は、参加者端末とターゲット端末がともに狭域通信部を具備し、これらが直接通信を行えるようにした点にある。このような構成とすることにより、第２の実施形態のインタラクティブ放送システムでは、参加者端末とターゲット端末とがお互いにより効果的に確認を行うことができるようになっている。
【００３５】
第２の実施形態のインタラクティブ放送システム１ｂの全体構成を図８に、インタラクティブ放送システム１ｂおいて用いられる参加者端末１００ｂの構成を図９に、また、インタラクティブ放送システム１ｂのいて用いられるターゲット端末２００ｂの構成を図１０に示す。
図１〜図３を参照して説明した第１の実施形態のインタラクティブ放送システム１、参加者端末１００及びターゲット端末２００との構成上の相違は、参加者端末１００ｂが狭域通信部１３０とそのアンテナアンテナ１３１を新たに具備し、ターゲット端末２００ｂが狭域通信部２３０とそのアンテナ２３１を新たに具備した点である。これら、参加者端末１００ｂの狭域通信部１３０とターゲット端末２００ｂの狭域通信部２３０とは、相互に通信可能な対応する通信手段であり、具体的には、例えば無線ＬＡＮ、BluetoothあるいはIrDAといった狭域通信手段である。従って、参加者端末１００ｂとターゲット端末２００ｂとが所定の通信範囲内に入ると、これらは直接データ通信ができるようになる。
【００３６】
このような構成のインタラクティブ放送システム１ｂの動作について、図１１を参照して説明する。なおここでは、第１の実施形態における動作と動作が異なる参加者端末１００ｂにおける処理について説明する。
ステップＳ１３０〜ステップＳ１３７の処理は、図４を参照して説明したステップＳ１１０〜ステップＳ１１７の処理と同一である。
すなわち、まず、参加者端末１００ｂは、ＧＰＳ等の位置情報取得部１４０により所定時間間隔（例えば１秒毎）で参加者端末１００ｂの位置情報（緯度経度）を取得しているものとする。その上で、参加者端末１００ｂが放送局３０から放送された放送データをインタフェース部１６０を介して参加者に提示し（ステップＳ１３０）、参加者がインタラクティブアプリケーションへ参加する旨を示す入力を行ったら（ステップＳ１３１におけるＹｅｓの場合）、アプリケーションを起動する（ステップＳ１３２）。
【００３７】
アプリケーションが移動されたら、参加者端末１００ｂは放送されるターゲット車両２０の位置情報等を取得し（ステップＳ１３３）、これを参加者に提示し（ステップＳ１３４）、ターゲット端末２００ｂが参加者端末１００ｂから所定範囲内になったか否かを検出する（ステップＳ１３５）。その結果、ターゲット端末２００ｂが参加者端末１００ｂから所定範囲内に無いとき（ステップＳ１３５におけるＮｏの場合）は、ステップＳ１３３に戻ってステップＳ１３３〜ステップＳ１３５の処理を繰り返す。
【００３８】
ターゲット端末２００ｂが、参加者端末１００ｂから所定範囲内（例えば３０ｍ以内）となった場合（ステップＳ１３５におけるＹｅｓの場合）は、参加者車両１０がターゲット車両２０に接近している旨の情報を提示し（ステップＳ１３６）、インタフェース部１６０にて情報送信フォームを起動して提示する（ステップＳ１３７）。
【００３９】
次に、参加者端末１００ｂは、ターゲット端末２００ｂの狭域通信部２３０と接続する準備を行う（ステップＳ１３８）。具体的には、例えばターゲット端末２００ｂの狭域通信部２３０が無線ＬＡＮのアクセスポイント機能を持っているならば、放送されてきたＳＩＤのアクセスポイントを探す。また、例えばターゲット端末２００ｂの狭域通信部２３０が無線ＬＡＮのクライアント端末であるならば、放送されてきたＩＰアドレス又はＭＡＣアドレスのクライアント端末を探す。
【００４０】
ターゲット端末２００ｂとの直接通信の準備が整ったら、接続可能である旨を示す情報を参加者に提示し、接続する旨の入力がユーザから行われるのを待つ（ステップＳ１３９）。参加者からの入力が無い間は、適宜、ターゲット端末２００ｂが参加者端末１００ｂから所定範囲内であることを確認しながら（ステップＳ１５０）、参加者の入力を待つ（ステップＳ１３９）。
【００４１】
ターゲット端末２００ｂに接続する旨の入力が参加者から無いまま（ステップＳ１３９におけるＮｏの場合）、ターゲット端末２００ｂが参加者端末１００ｂから所定範囲外に出てしまった場合（ステップＳ１５０におけるＮｏの場合）は、ステップＳ１３３に戻ってステップＳ１３３以下の処理を繰り返し行う。
【００４２】
参加者がターゲット端末２００ｂと接続する旨の入力を行って（ステップＳ１３９におけるＹｅｓの場合）、参加者がターゲット２０ｂを確認して確認入力を行うと（ステップＳ１４０におけるＹｅｓの場合）、参加者端末１００ｂとターゲット端末２００ｂの間で認証行為が行われる（ステップＳ１４１）。例えば、放送されてきたパスワードを参加者端末１００ｂからターゲット端末２００ｂに送信し、ターゲット端末２００ｂでパスワードが適正であれば真にターゲットを確認したということになり、ターゲット端末２００ｂに記憶されていたＩＤやパスワードを参加者端末に送信する（ステップＳ１４１）。
【００４３】
なお、参加者からターゲット端末２００ｂの確認入力が無いまま（ステップＳ１４０におけるＮｏの場合）、ターゲット端末２００ｂが参加者端末１００ｂから所定範囲外に出てしまった場合（ステップＳ１５１におけるＮｏの場合）は、ステップＳ１３３に戻ってステップＳ１３３以下の処理を繰り返し行う。
【００４４】
そして、参加者端末１００ｂは、送信フォームに従って、参加者車両１０の位置（緯度経度）情報、それに付随する時刻情報及び個人を特定する情報等を含むターゲット確認情報を、広域通信部１２０から送信する（ステップＳ１４２）。送信されたターゲット確認情報は通信事業者４０、インターネット５０を介して放送局３０に送信される。
【００４５】
このようにインタラクティブ放送システム１ｂにおいても、第１の実施形態のインタラクティブ放送システム１と同様に、デジタル放送システムを介した所望のインタラクティブコンテンツの提供が行われる。
また、参加者は送信フォームを選択するだけで放送局にターゲット確認情報を送信でき、サービスへの参加が促進される。
さらに、参加者とターゲットの距離が所定の距離内に入ったら送信フォームをポップアップ表示するようにしており、参加者がより使い易くなっている。
【００４６】
そして特にインタラクティブ放送システム１ｂにおいては、参加者端末１００とターゲット端末２００とが無線ＬＡＮ、Bluetooth あるいはIrDA等の狭域無線通信手段を備えており、参加者車両１０とターゲット車両２０とが接近した時には、これらが直接に狭域無線通信を確率して通信を行っている。従って、これらが直接確認情報を交換することと等が可能となり、直接の認証も行えるようになっている。その結果、認証の証拠等に基づいて、より正確に真にターゲット端末を確認したか否かが判る。
また、このような直接の通信を行うために、インタラクティブ放送システム１ｂにおいては、ターゲット車両２０の接続先アドレス等を、放送局３０がデジタル放送波のデータ部を介して参加者端末１００に送信している。従って、参加者端末１００は、容易にターゲット端末２００と直接通信を行うことができる。
【００４７】
変形例
なお、前述した各実施形態は、本発明の理解を容易にするために記載されたものであって本発明を何ら限定するものではない。本実施形態に開示された各要素は、本発明の技術的範囲に属する全ての設計変更や均等物をも含み、また任意好適な種々の改変が可能である。
【００４８】
例えば、前述した各実施形態においては、参加者及びターゲットはいずれも車両（参加者車両１０及びターゲット車両２０）としたが、これらは車両に限られない。人、動物、あるいは移動可能な所望の物体等の他の移動体であってよい。また、ターゲット車両２０については、これらの他にさらに、所定の位置に固定的に配置された車両、人、動物、所望の物体あるいは所望の構造物等であってよい。
【００４９】
なお、ターゲットが固定されたものである場合には、ターゲット端末２００の広域通信部２２０は、一般電話やインターネットでよい。
また、ターゲットが固定されたものである場合には、放送局３０に対して、その位置情報を予め設定しておけばよく、ターゲットにおいて位置情報取得部２４０及びアンテナ２４１は不要である。本発明に係るインタラクティブ放送システムは、そのような構成でもよい。
【００５０】
また、前述した各実施形態においては、デジタル放送を行う放送局３０が、インタラクティブ放送システム１（１ｂ）のアプリケーションサービスプロバイダでもあった。しかしながら、放送主体たる放送局３０と、インタラクティブコンテンツの提供サービスを行う  サービスプロバイダとは、別主体であってよい。その場合には、参加者車両１０やターゲット車両２０から送信される情報は通信事業者４０及びインターネット５０を介してサービスプロバイダに伝送され、サービスプロバイダにおいてデジタル放送のデータ放送部で提供される情報が構成されて、その情報がサービスプロバイダから放送局３０に例えばインターネット５０を介して提供され、放送局３０から各参加者端末１００（１００ｂ）に放送されることになる。やターゲット端末２００
【００５１】
また、前述した各実施形態において、参加者が真にターゲットを確認したか否かを知るために利用する送信フォームは、放送により複数の送信フォームを伝送しておき、複数の選択肢としてもよい。例えば、ターゲット車両の色を４者択一の選択肢とし、正解のときのみ送信されるとしてもよい。
【００５２】
また、前述した第２の実施形態において、狭域通信手段で認証を行ったら、広域通信で放送局に送らず、参加者情報はターゲット端末に蓄積してもよい。もちろん、ここでターゲット端末から広域通信で放送局にリアルタイムで送信しても構わないし、情報を蓄積しておいて後になってからまとめて情報を排出するような構成であってもよい。
【図面の簡単な説明】
【００５３】
【図１】図１は、本発明の第１の実施形態のインタラクティブ放送システムの全体構成を模式的に示す図である。
【図２】図２は、図１に示したインタラクティブ放送システムの参加者端末の構成を示すブロック図である。
【図３】図３は、図１に示したインタラクティブ放送システムのターゲット端末の構成を示すブロック図である。
【図４】図４は、図２に示した参加者端末における処理の流れを示すフローチャートである。
【図５】図５は、図３に示したターゲット端末における処理の流れを示すフローチャートである。
【図６】図６は、図１に示したインタラクティブ放送システムのアプリケーションサービスプロバイダたる放送局における処理の流れを示す第１のフローチャートである。
【図７】図７は、図１に示したインタラクティブ放送システムのアプリケーションサービスプロバイダたる放送局における処理の流れを示す第２のフローチャートである。
【図８】図８は、本発明の第２の実施形態のインタラクティブ放送システムの全体構成を模式的に示す図である。
【図９】図９は、図８に示したインタラクティブ放送システムの参加者端末の構成を示すブロック図である。
【図１０】図１０は、図８に示したインタラクティブ放送システムのターゲット端末の構成を示すブロック図である。
【図１１】図１１は、図９に示した参加者端末における処理の流れを示すフローチャートである。
【符号の説明】
【００５４】
１，１ｂ…インタラクティブ放送システム
１０…参加者車両
１００，１００ｂ…参加者端末
１１０…放送受信部
１１１…放送受信部用アンテナ
１２０…広域通信部
１２１…広域通信部用アンテナ
１３０…狭域通信部
１３１…狭域通信部用アンテナ
１４０…位置情報取得部
１４１…位置情報取得部用アンテナ
１５０…通信制御部
１６０…インタフェース部
１６１…表示部
１６２…音声出力部
１６３…操作入力部
１８０…ＣＰＵ
１９０…記憶部
２０…ターゲット車両
２００，２００ｂ…ターゲット端末
２２０…広域通信部
２２１…広域通信部用アンテナ
２３０…狭域通信部
２３１…狭域通信部用アンテナ
２４０…位置情報取得部
２４１…位置情報取得部用アンテナ
２５０…通信制御部
２６０…インタフェース部
２６１…表示部
２６２…音声出力部
２６３…操作入力部
２８０…ＣＰＵ
２９０…記憶部
３０…放送局
３１０…放送アンテナ
４０…通信事業者
５０…インターネット
【図１】
2006211606.tif 000003
【図２】
2006211606.tif 000004
【図３】
2006211606.tif 000005
【図４】
2006211606.tif 000006
【図５】
2006211606.tif 000007
【図６】
2006211606.tif 000008
【図７】
2006211606.tif 000009
【図８】
2006211606.tif 000010
【図９】
2006211606.tif 000011
【図１０】
2006211606.tif 000012
【図１１】
2006211606.tif 000013